(57)【要約】【課題】省電力モードからの復帰操作に際して表示画面に対するタッチパネルの誤操作を有効に防止可能とすること。【解決手段】省電力モードで復帰のためのディスプレイ１８上のタッチパネル２０に対して行うタッチ操作を表示画面２１に対してはその最前面に表示したウインドウ２６により無効化する。【選択図】図４
2008107906.tif 000002
【特許請求の範囲】
【請求項１】
ディスプレイ上に配置したタッチパネルに対して行う省電力モードからの復帰のためのタッチ操作を、表示画面に対してのタッチ操作としては無効化するウインドウを表示画面の最前面に表示する、ことを特徴とするタッチパネルへのタッチ操作無効化方法。
【請求項２】
上記ウインドウを上記表示画面の全画面に表示する、ことを特徴とする請求項１に記載のタッチパネルへのタッチ操作無効化方法。
【請求項３】
上記タッチパネルに対する無操作時間が指定時間経過すると省電力モードになる、ことを特徴とする請求項１または２に記載のタッチパネルへのタッチ操作無効化方法。
【請求項４】
上記ディスプレイを液晶ディスプレイとし、
その液晶ディスプレイの背後にバックライトを配置し、
このバックライトが消灯したときまたはタッチパネルの無操作状態が指定時間経過すると省電力モードにする、ことを特徴とする請求項１または２に記載のタッチパネルへのタッチ操作無効化方法。
【請求項５】
省電力モードから復帰するときのタッチ操作で上記ウインドウを消去して通常モードに移行する、ことを特徴とする請求項１ないし４のいずれかに記載のタッチパネルへのタッチ操作無効化方法。
【請求項６】
各種表示を行うディスプレイと、このディスプレイ上に配置したタッチパネルとを備え、省電力モードからの復帰のためのタッチ操作をディスプレイの表示画面に対してのタッチ操作としては無効化するウインドウを表示画面の最前面に表示する構成とした、ことを特徴とするタッチパネル式電子機器。
【請求項７】
上記ディスプレイとして液晶ディスプレイを備えると共にその液晶ディスプレイの背後にバックライトを備え、バックライトが消灯したときまたはタッチパネルの無操作状態が指定時間経過すると省電力モードになる、ことを特徴とする請求項６に記載のタッチパネル式電子機器。
【請求項８】
上記省電力モードから復帰するときのタッチ操作で上記ウインドウを消去して通常モードに移行する、ことを特徴とする請求項７に記載のタッチパネル式電子機器。
【発明の詳細な説明】
【技術分野】
【０００１】
本発明は、パネルコンピュータやプログラマブル表示器等の、ディスプレイ上にタッチパネルを備えた電子機器においてそのディスプレイ上に配置したタッチパネルを省電力モードからの復帰のためにタッチ操作するに際し当該タッチ操作を無効化する方法に関するものである。
【背景技術】
【０００２】
パネルコンピュータ等の電子機器には、入力を簡単なオペレーションで行うためにディスプレイの上に透明なタッチパネルを備え、このタッチパネル上を指やペン等で触れることによりデータを入力するものがある（特許文献１参照）。
【０００３】
また、このような電子機器では省電力モード時には、タッチパネルの下に設置されるディスプレイ、およびディスプレイの照明であるバックライトへの電力供給を削減あるいは停止し、消費電力の低減を可能とし、また、その省電力モードから通常モードへの復帰時には、ユーザによるタッチパネルへの接触をタッチパネルの電圧や指圧の変化として検出して通常モードに復帰するようにしたものがある（特許文献２参照）。
【０００４】
上記省電力モードでは、ディスプレイの照明であるバックライトが消えて表示画面が暗くなっている等の理由から、ユーザは表示状態を確認しにくく、省電力モードからタッチ操作して復帰するときに、意図しない操作を行う可能性がある。
【０００５】
そのため、省電力モードではタッチ操作を無効にする機能をタッチパネルのデバイスドライバに搭載している。しかしながら、このような機能を持たず、また、機能を持つよう改造することができないデバイスドライバが提供されている場合は、復帰時に意図しない操作が行われてしまう。
【特許文献１】特開２００２−２１５３０４号公報
【特許文献２】特開平６−３２４７８７号公報
【発明の開示】
【発明が解決しようとする課題】
【０００６】
したがって、本発明により解決すべき課題は、省電力モードからのタッチ操作による復帰に際して意図しない操作を防止可能とすることである。
【課題を解決するための手段】
【０００７】
（１）本発明によるタッチ操作無効化方法は、ディスプレイ上に配置したタッチパネルに対して行う省電力モードからの復帰のためのタッチ操作を、表示画面に対してのタッチ操作としては無効化するウインドウを表示画面の最前面に表示することを特徴とするものである。
【０００８】
本発明では、省電力モードに移行したときはタッチパネルのタッチ操作を表示画面に対してのタッチ操作としては無効化するウインドウを表示画面の最前面に表示するようにしたから、タッチパネルをタッチ操作して省電力モードからの復帰を行うに際して意図しない操作を防止することができるようになる。
【０００９】
本発明の好適な一態様は、上記ウインドウを上記表示画面の全画面に表示することである。この態様ではタッチパネルのどの部分をタッチ操作しても意図しない操作を防止することができる。
【００１０】
本発明の好適な一態様は、上記タッチパネルの無操作時間が指定時間経過すると省電力モードにすることである。
【００１１】
本発明の好適な一態様は、ディスプレイを液晶ディスプレイとし、その液晶ディスプレイの背後にバックライトを配置すると共に、バックライトが消灯したときまたはタッチパネルの無操作状態が指定時間経過すると省電力モードにすることである。
【００１２】
本発明の好適な一態様は、省電力モードから復帰するときのタッチ操作で上記ウインドウを消去して通常モードに移行することである。
【００１３】
（２）本発明によるディスプレイ付き電子機器は、各種表示を行うディスプレイと、このディスプレイ上に配置したタッチパネルとを備え、省電力モードからの復帰のためのタッチ操作をディスプレイの表示画面に対してのタッチ操作としては無効化するウインドウを表示画面の最前面に表示する構成としたことを特徴とするものである。
【００１４】
本発明の好適な一態様は、上記ディスプレイとして液晶ディスプレイを備えると共にその液晶ディスプレイの背後にバックライトを備え、バックライトが消灯したときまたはタッチパネルの無操作状態が指定時間経過すると省電力モードになることである。
【００１５】
本発明の好適な一態様は、上記省電力モードから復帰するときのタッチ操作で上記ウインドウを消去して通常モードに移行することである。
【００１６】
なお、上記省電力モードはディスプレイへの電力供給を削減あるいは停止することが好ましい。
【００１７】
上記ウインドウを液晶ディスプレイで構成するときは省電力モードでは液晶ディスプレイの特性に合わせ白色、または黒色にしてウインドウ画面の焼付きを防止し、消費電力を抑えることが好ましい。
【発明の効果】
【００１８】
本発明によると、省電力モードに移行したときはタッチパネルのタッチ操作を無効化するウインドウを表示画面の最前面に表示するようにしたから、省電力モードからの復帰操作となるタッチ操作は表示画面に対してのタッチ操作としては無効とすることができる結果、上記復帰操作を行うに際して表示画面に対しての意図しない操作を防止することができるようになる。
【発明を実施するための最良の形態】
【００１９】
以下、添付した図面を参照して、本発明の実施の形態に係るタッチパネルへのタッチ操作無効化方法を説明する。本実施の形態が適用される電子機器としてはパネルコンピュータであるが、これに限定されず、プログラマブル表示器等、ディスプレイ上にタッチパネルを備えた電子機器であればすべて適用できる。
【００２０】
まず図１および図２を参照して上記タッチ操作無効化方法を実施するパネルコンピュータを説明する。図１は同パネルコンピュータの概略ブロック図、図２（ａ）は液晶ディスプレイとその上のタッチパネルとの平面図を示し、図２（ｂ）は液晶ディスプレイとタッチパネルとバックライトの概略断面構成を示す。
【００２１】
パネルコンピュータ１０は、制御手段であるＣＰＵ１２、ＲＡＭ、ＲＯＭ、フラッシュＲＯＭ、ＶＲＡＭなどのメモリ１４、バックライト点灯電源を含む電源を管理する電源管理部１６、表示手段を構成するディスプレイ１８、操作ないし入力手段を構成するタッチパネル２０、他の電子機器と通信を制御する通信ＩＦ２２を有している。
【００２２】
なお、ＣＰＵ１２とは別に、ＣＰＵ１２の負担を軽くして処理速度を高める等により、上記タッチパネル２０を制御するタッチパネルコントローラ、液晶ディスプレイ１８の表示を制御するディスプレイコントローラ、を設けてもよい。
【００２３】
ＣＰＵ１２は、作画ツールで作成された画面に基づいてＶＲＡＭなどのメモリ１４を用いて液晶ディスプレイ１８の画面上にボタン等各種表示を行うことができる。この表示画面２１上においては、ユーザ操作されるボタン等の表示部品が視覚化されている。
【００２４】
液晶ディスプレイ１８における表示画面２１は、作画ツールで作成されてメモリ１４にダウンロードすることができる。表示画面２１の構成は、本発明の特徴とするところではないから、その詳細は略する。
【００２５】
ＣＰＵ１２はタッチパネル２０から該タッチパネル２０の操作位置信号を入力し、その信号に対応して表示画面２１を制御することができるようになっている。
【００２６】
タッチパネル２０は、ディスプレイ１８の表示画面２１上でのタッチ位置（入力位置）を入力するために設けられており、アナログ抵抗膜式タッチパネルなどが好適である。ＣＰＵ１２は、タッチパネル２０の出力電圧を入力位置情報に変換してタッチ位置を認識することができる。
【００２７】
ＣＰＵ１２は、メモリ１４に格納されている制御用プログラムに従い、ハードウェアの制御処理、あるいは、液晶ディスプレイ１８の表示画面２１上での文字や図形の表示処理やタッチパネル２０への操作入力を受け付ける処理などを行う。
【００２８】
液晶ディスプレイ１８は、表示データに応答して表示画面２１を表示すると共にその背部からバックライト２４で照明されるようになっている。
【００２９】
タッチパネル２０は液晶ディスプレイ１８の上に配置されて、ペン先や指先で圧力を加える（タッチする）ことにより、その押圧点直下の座標値に応じた信号をＣＰＵ１２に伝送するようになっている。液晶ディスプレイ１８は、タッチパネル２０の有効タッチ面積と同程度かもしくはそれより若干小さい面積を有し多数の液晶画素を縦横マトリクスに配列した画素構成になっている。
【００３０】
以上の構成を備えたパネルコンピュータ１０は、以下の構成を備えたことを特徴とするものである。この特徴を図３ないし図５を参照して説明する。図３は液晶ディスプレイ１８上に表示画面２１が表示されている。図３では、バックライト２４に電源が供給されて該バックライト２４により液晶ディスプレイ１８が背部から照明されて表示画面２１が表示されている通常モードを示している。ＣＰＵ１２は通常モードでは電源管理部１６を制御する。
【００３１】
ユーザはタッチパネル２０をタッチ操作することにより表示画面２１に表示している表示部品２３を操作制御してパネルコンピュータ１０に接続された各種機器を制御することができる。
【００３２】
一方、ＣＰＵ１２はタッチパネル２０からの操作入力を監視しており、上記ユーザ操作に応じて各種機器を制御すると共に、タッチパネル２０に対するユーザの無操作状態が指定時間経過しているか否かを監視し、指定時間経過していなければ、上記通常モードを維持している。この通常モードは図３に示す状態である。
【００３３】
ＣＰＵ１２はタッチパネル２０からの操作入力を監視した結果、上記無操作状態が指定時間経過したと判断すると、電源管理部１６を制御して図示略のバックライト点灯用電源をオフ制御してバックライト２４を消灯（オフ）状態にして表示器１０を省電力モードに移行させる。
【００３４】
このとき、常駐アプリケーションはバックライト２４の消灯あるいは無操作状態が指定時間経過を感知すると、図４で示すように表示画面２１の最前面にタッチ操作を無効化するタッチ操作無効化ウインドウ２６を全画面に表示させる。図４では理解のため表示画面２１とタッチ操作無効化ウインドウ２６とをずらして示しているが、実際は表示画面２１全面をタッチ操作無効化ウインドウ２６が覆っている。したがって、タッチ操作無効化ウインドウ２６のいずれの箇所にタッチ操作されても、表示画面２１に対してのタッチ操作は無効となる。
【００３５】
このタッチ操作無効化ウインドウ２６は液晶ディスプレイ１８の焼付き防止のため液晶ディスプレイ１８の特性により白色、または黒色に設定されている。上記省電力モードにバックライト点灯用電源をオフ制御する以外にその点灯用電源を所定分だけ削減してもよい。
【００３６】
次いで、タッチパネル２０がタッチ操作されると、このタッチ操作は表示画面２１に対しては無効とするタッチ操作であり、また、このタッチ操作により通常モードに復帰してバックライト２４に電源が供給されてバックライト２４が点灯し、かつ、タッチ操作無効化ウインドウ２６は図５で示すように消去される。図５では理解のためタッチ操作無効化ウインドウ２６は表示画面２１からずらされかつ透明化されて示されているが、実際はタッチ操作無効化ウインドウ２６は消去される。
【００３７】
タッチ操作無効化ウインドウの表示は、Ｇｒａｐｈｉｃａｌ Ｕｓｅｒ Ｉｎｔｅｒｆａｃｅ（ＧＵＩ）を利用したＷｉｎｄｏｗｓ（登録商標）ＮＴ,２０００,ＸＰ（登録商標）などのオペレーティングシステム（ＯＳ）の環境において、ＯＳの常駐アプリケーションによりプログラム実行されるようになっている。
【００３８】
この常駐アプリケーションはバックライト２４の消灯あるいはユーザの無操作状態が指定時間経過したことをＯＳから通知されて起動してタッチ操作無効化ウインドウ２６を表示し、起動後のタッチ操作を通知されて常駐アプリケーションプログラムの実行を自動終了してタッチ操作無効化ウインドウ２６の表示を終了する。
【００３９】
なお、ユーザがアイコン操作等により常駐アプリケーションの一時停止操作を行なうことができるようにしたり、その常駐アプリケーションの一時停止操作が終了してから所定時間経過すると、自動的に常駐アプリケーションが再開されるようにしてもよい。
【００４０】
さらに、常駐アプリケーションではなくユーザの無操作状態が指定時間経過によりタッチ操作無効化ウインドウを表示するタイマ起動アプリケーションでもよい。
【００４１】
以上のタッチ操作無効化ウインドウ２６が表示されている状態ではタッチパネル２０をどの位置にタッチ操作してもそれらタッチ操作はすべて無効とされてしまう状態となり、省電力モードからの復帰に際してのタッチ操作によりタッチ操作無効化ウインドウ２６は消去されて、次のタッチ操作を受け付けることができるようにする。
【００４２】
以上説明したように本実施の形態では、１つのシンプルな常駐アプリケーションを作成するのみで、タッチパネル２０のデバイスドライバやアプリケーションに手を加えることなく、タッチパネル２０の無操作状態が一定時間経過すると省電力モードに移行しかつ省電力モードからの復帰のためのタッチパネル２０のタッチ操作を表示画面２１に対しては無効化するウインドウ２６をディスプレイ１８からなる当該表示画面２１の最前面に表示したから、省電力モードから通常モードへのタッチ操作により表示画面２１上の表示部品２３等の誤操作を有効に防止することができるようになる。
【図面の簡単な説明】
【００４３】
【図１】図１は本発明の実施の形態に係るパネルコンピュータのブロック図である。
【図２】図２は液晶ディスプレイ、タッチパネル、バックライトを含む構成を示すための図である。
【図３】図３は通常モードにおける表示画面の表示例を示す図である。
【図４】図４は省電力モードにおける表示画面の表示例を示す図である。
【図５】図５は省電力モードから復帰した表示画面の表示例を示す図である。
【符号の説明】
【００４４】
１０  パネルコンピュータ
１２  ＣＰＵ
１４  メモリ
１６  電源管理部
１８  液晶ディスプレイ
２０  タッチパネル
２１  表示画面
２２  通信ＩＦ
２３  表示部品
２４  バックライト
２６  タッチ操作無効化ウインドウ
【図１】
2008107906.tif 000003
【図２】
2008107906.tif 000004
【図３】
2008107906.tif 000005
【図４】
2008107906.tif 000006
【図５】
2008107906.tif 000007